(57)【要約】【課題】コストアップなしでオイルキャッチの着脱を容易にし掃除性を向上させることを目的とする。【解決手段】両側にはフランジ１２を設けたオイルキャッチ１１に油を流し、パネル１０にはフランジ１２が位置する両側の固定部１３とその間に絞り１４を設け、絞り１４の底面と固定部１３の上面との高さの差をオイルキャッチ１１のフランジ１２の厚さ以下とし、パネル１０の固定部１３にセットされたフランジ１２の下面はオイルキャッチ１１の上端部がパネル１０に設けられた絞り１４によって押され、オイルキャッチ１１が摩擦力で保持され、また、オイルキャッチ１１は差し込まれた一方のフランジ１２とパネル１０に設けられた絞り１４を支点に弾性変形し、コストアップなしでオイルキャッチ１１の着脱を容易にし掃除性を向上させることができるレンジフードを得られる。【選択図】図４
2015215154.tif 000002
【特許請求の範囲】
【請求項１】
下面に吸込口と天面に排気口を有するフードと、前記フードの内部に排気ファンを設けたファンユニットと、前記吸込口から吸い込んだ空気を前記排気口へと通風する風路と、前記ファンユニットの下部に前記フードや前記ファンユニットとから流れる油を受けるパネルとを設け、前記油を前記パネルの下部に設けたオイルキャッチに流し、前記オイルキャッチの両側にはフランジを設け、前記パネルには前記フランジが位置する両側部に固定部を設け、２つの前記固定部の間に絞りを設け、前記絞りの底面と前記固定部の上面との高さの差を前記オイルキャッチの前記フランジの厚さ以下とすることを特徴としたレンジフード。
【請求項２】
オイルキャッチを固定するパネルの固定部の上側に開口を設けたことを特徴とする請求項１に記載のレンジフード。
【請求項３】
オイルキャッチのフランジを固定する２つの前記固定部との間に部分的に絞りを設けたことを特徴とする請求項１に記載のレンジフード。
【請求項４】
オイルキャッチのフランジに穴を設け、固定部の両方または一方に上側に凸のダボを設け、着脱時にカチッと音がすることを特徴とする請求項１〜３のいずれかに記載のレンジフード。
【発明の詳細な説明】
【技術分野】
【０００１】
本発明は、ガスコンロ、電磁調理器等の厨房器具の上方に設けられ、調理時に発生する煙や熱気等を収集して屋外に排出するレンジフードに使用されるレンジフード用のオイルキャッチに関するものである。
【背景技術】
【０００２】
従来、この種のレンジフードは、フード本体の内部の内壁面にオイルキャッチを設けたものが知られているが、一般的にネジやバネで固定されたものが使用されている（例えば、特許文献１参照）。
【先行技術文献】
【特許文献】
【０００３】
【特許文献１】特開平７−２９３９５９号公報
【発明の概要】
【発明が解決しようとする課題】
【０００４】
このような従来のレンジフードにおいては、フード本体の内面の下方端面に直方体の油受けを設けているものが知られており、排気ファンの吸い込み口に油受けであるオイルキャッチを設けた場合ネジ等で固定されていたので、お掃除するためオイルキャッチを取り外す際ネジ等を取り外さなければならず、お手入れ性が悪かった、という課題を有していた。
【０００５】
そこで本発明は、上記従来の課題を解決するものであり、お掃除する際にオイルキャッチの着脱を容易にしてお手入れ性を向上することができるレンジフードを提供することを目的とする。
【課題を解決するための手段】
【０００６】
そして、この目的を達成するために、本発明は、下面に吸込口と天面に排気口を有するフードと、前記フードの内部に排気ファンを設けたファンユニットと、前記吸込口から吸い込んだ空気を前記排気口へと通風する風路と、前記ファンユニットの下部に前記フードや前記ファンユニットとから流れる油を受けるパネルとを設け、前記油を前記パネルの下部に設けたオイルキャッチに流し、前記オイルキャッチの両側にはフランジを設け、前記パネルには前記フランジが位置する両側部に固定部を設け、２つの前記固定部の間に絞りを設け、前記絞りの底面と前記固定部の上面との高さの差を前記オイルキャッチの前記フランジの厚さ以下とすることとしたものであり、これにより所期の目的を達成するものである。
【発明の効果】
【０００７】
本発明によれば、下面に吸込口と天面に排気口を有するフードと、前記フードの内部に排気ファンを設けたファンユニットと、前記吸込口から吸い込んだ空気を前記排気口へと通風する風路と、前記ファンユニットの下部に前記フードや前記ファンユニットとから流れる油を受けるパネルとを設け、前記油を前記パネルの下部に設けたオイルキャッチに流し、前記オイルキャッチの両側にはフランジを設け、前記パネルには前記フランジが位置する両側部に固定部を設け、２つの前記固定部の間に絞りを設け、前記絞りの底面と前記固定部の上面との高さの差を前記オイルキャッチの前記フランジの厚さ以下とする、という構成にしたことにより、パネルのさしこみ固定部にセットされたフランジの下面には、オイルキャッチの油受け部の開口上端部がパネルに設けられた下側に凸の絞りによって押され押圧力が加わり、オイルキャッチのフランジの下面と固定部との摩擦力によってオイルキャッチが保持され、また、オイルキャッチは差し込まれた一方のフランジとパネルに設けられた絞りを支点に弾性変形することとなるので、ネジやバネなどの部品が不要となり、コストアップなしでオイルキャッチの着脱を容易にすることで掃除性を向上させることができる、という効果を得ることができる。
【図面の簡単な説明】
【０００８】
【図１】本発明の実施の形態１のレンジフードを示す側面図
【図２】同レンジフードを示す底面斜視図
【図３】同レンジフードを示す正面図
【図４】同レンジフードのオイルキャッチを示す詳細図
【図５】同レンジフードの断面がＵ字形状の固定部を示す詳細図
【図６】同レンジフードの断面がＬ字形状の固定部を示す詳細図
【発明を実施するための形態】
【０００９】
本発明のレンジフードは、下面に吸込口と天面に排気口を有するフードと、前記フードの内部に排気ファンを設けたファンユニットと、前記吸込口から吸い込んだ空気を前記排気口へと通風する風路と、前記ファンユニットの下部に前記フードや前記ファンユニットとから流れる油を受けるパネルとを設け、前記油を前記パネルの下部に設けたオイルキャッチに流し、前記オイルキャッチの両側には前記オイルキャッチの開口上端と同じ高さにフランジを設け、前記パネルには前記フランジが位置する両側部に前記フランジの下面を支える固定部を設け、２つの前記固定部の間に下側に凸の絞りを設け、前記絞りの底面と前記固定部の上面との高さの差を前記オイルキャッチの前記フランジの厚さ以下とする、という構成を有する。これにより、パネルのさしこみ固定部にセットされたフランジの下面には、オイルキャッチの油受け部の開口上端部がパネルに設けられた下側に凸の絞りによって押され押圧力が加わり、オイルキャッチのフランジの下面と固定部との摩擦力によってオイルキャッチが保持され、また、オイルキャッチは差し込まれた一方のフランジとパネルに設けられた絞りを支点に弾性変形することとなるので、ネジやバネなどの部品が不要となり、コストアップせずオイルキャッチの着脱性を容易にすることで掃除性を向上させることができる、という効果を奏する。
【００１０】
また、オイルキャッチを固定するパネルの固定部の上側に開口を設けた、という構成にしてもよい。これにより、オイルキャッチのフランジの上面の取り付け部が開口部へ進入することとなるので、オイルキャッチを着脱する過程や取り付け後にオイルキャッチのフランジがパネルと固定部の隙間で規制されることがなく、オイルキャッチのフランジの製造バラツキや変形したことが原因の着脱性の悪化を防止するとともに、オイルキャッチの取付時の取り付け操作範囲を大きくできることにより操作性を向上することができる、という効果を奏する。
【００１１】
また、オイルキャッチのフランジを固定する２つの前記固定部との間に部分的に絞りを設けた、という構成にしてもよい。これにより、部分的に変更した絞り高さにオイルキャッチのフランジが接触することとなるので、部品寸法がばらついてオイルキャッチの着脱力が変化した場合でも容易に金型を変更して着脱力を調整することができる、という効果を奏する。
【００１２】
また、オイルキャッチのフランジに穴を設け、前記固定部の両方または一方に上側に凸のダボを設け、着脱時にカチッと音がしてクリック感を持たせた、という構成にしてもよい。これにより、オイルキャッチのフランジが固定部のダボを乗り越え、フランジの穴にダボがはまり込むこととなるので、オイルキャッチの着脱が音と触手ではっきりと分かるとともに取り付け後の保持力が増し、落下防止を図ることができる、という効果を奏する。
【００１３】
以下、本発明の実施の形態について図面を参照しながら説明する。
【００１４】
（実施の形態１）
図１〜図６に示すように、ガスコンロやＩＨコンロ等の調理器（図示せず）の上方すなわち真上に設置され、下面に方形状の整流板１と、整流板の周囲に吸込口２を設け、天面３に排気口４を有するフード５と、フード５の内部に排気ファン６を設けたファンユニット７と、吸込口２から吸い込んだ調理時の油煙や水分を含んだ空気を排気口４へと通風する通風路８と、吸込口２に設けた例えば親水性や撥水性の塗料が塗布されたパンチングのフィルター９と、ファンユニット７の下部にフード５やファンユニット７やフィルター９から流れる油を受けるパネル１０とを設け、前記油を容器状のオイルキャッチ１１に導き、オイルキャッチ１１の両側にはオイルキャッチ１１の開口の上端部１８と同じ高さにフランジ１２を設ける、すなわち、オイルキャッチ１１の上端部１８が面一に設け、パネル１０にはフランジ１２が位置する両側部にフランジ１２の下面を支える固定部１３をそれぞれ設け、それぞれ２つの固定部１３の間にフード５の底面側に凸状の絞り１４を設け、絞り１４の底面１５と固定部１３の上面１６との高さの差をオイルキャッチ１１のフランジ１２の厚さ（すなわち板厚）より小さいとする、という構成である。
【００１５】
なお、排気ファン６の向きは縦向きでも横向きでも良く、ファンユニット７はスクロール形状のケーシングを有するシロッコファンタイプでも良く、ターボファンタイプまたはプロペラタイプでも良い。
【００１６】
また、２つの固定部１３の一方は調理者から見て側面方向の断面がＵ字形状の穴で、もう一方は、調理者から見て正面方向である前方が開口した調理者から見て側面方向の断面がＬ字形状の溝を設ける構成としたことで、前者のＵ字形状の穴にオイルキャッチ１１のフランジ１２を差し込むと、オイルキャッチ１１の開口の上端部１８がパネル１０に設けられた下側に凸の絞り１４に当たり、シーソーやテコのようにオイルキャッチ１１のもう一方のフランジ１２が浮くので、そのフランジ１２を固定部１３側に押して、固定部１３のＬ字形状の溝にオイルキャッチ１１のもう一方のフランジ１２を差し込むことができるので、指し込み操作だけでオイルキャッチ１１が固定部１３に保持でき、オイルキャッチ１１の取り付け作業が容易になる。
【００１７】
このような構成にすることにより、パネル１０の固定部１３にセットされたフランジ１２の下面にはオイルキャッチ１１の開口の上端部１８がパネル１０に設けられた下側に凸の絞り１４によって押され押圧力が加わり、オイルキャッチ１１のフランジ１２の下面と固定部１３との摩擦力によってオイルキャッチ１１が保持され、また、オイルキャッチ１１は差し込まれた一方のフランジ１２とパネル１０に設けられた絞り１４を支点に弾性変形することとなるので、コストアップせずオイルキャッチ１１の着脱を容易にすることで掃除性を向上させることができ、かつ、オイルキャッチ１１を固定部１３への取り付け後の保持を確実にすることができる。
【００１８】
また、オイルキャッチ１１を固定するパネル１０の固定部１３の上側に開口１９を設ける。
【００１９】
このような構成にすることにより、オイルキャッチ１１のフランジ１２が開口１９へ進入することとなるので、オイルキャッチ１１を固定部１３から着脱する過程や取り付け後にオイルキャッチ１１のフランジ１２がパネル１０と固定部１３との隙間で規制されることがなく、オイルキャッチ１１のフランジ１２の製造バラツキや変形したことが原因の着脱性の悪化を防止するとともに、オイルキャッチ１１の取り付け時の取り付け操作範囲を大きくできることにより操作性を向上することができる。
【００２０】
なお、オイルキャッチ１１のフランジ１２を固定する２つの固定部１３との間に設ける絞り１４は部分的に設けても良い。
【００２１】
このような構成にすることにより、部分的に変更した絞り高さにオイルキャッチ１１のフランジ１２が接触することとなるので、部品寸法（例えばフランジ１２とか固定部１３）がばらついてオイルキャッチ１１の着脱力が変化した場合でも容易に金型を変更して着脱力を調整することができる。
【００２２】
また、オイルキャッチ１１のフランジ１２に穴２０を設け、固定部１３の両方または一方に天面３側の方向である上方に突出したダボ１７を設け、オイルキャッチ１１を固定部１３からの着脱時にカチッと音がしてクリック感を持たせる。
【００２３】
このような構成にすることにより、オイルキャッチ１１のフランジ１２が固定部１３のダボ１７を乗り越え、フランジ１２の穴２０にダボ１７がはまり込むこととなるので、オイルキャッチ１１の固定部１３からの着脱が音と触手ではっきりと分かるとともに、オイルキャッチ１１を固定部１３からの取り付け後は、オイルキャッチ１１のフランジ１２の穴２０に、固定部１３のダボ１７がはまり保持力が増すことでオイルキャッチ１１が落下するのを防止することができる。
【００２４】
また、絞り１４の底面１５とダボ１７の頂点との高さとの差をオイルキャッチ１１のフランジ１２の厚さすなわち板厚より小さいとしたことで、例えばフランジ１２の加工精度のバラツキ等によりオイルキャッチ１１の着脱力が変化しても、ダボ１７の高さを金型調整することで容易にオイルキャッチ１１を固定部１３からの着脱力を調整することができる。
【００２５】
また、ダボ１７はオイルキャッチ１１のフランジ１２に下方向に突出したダボ１７を設けても良い。
【産業上の利用可能性】
【００２６】
本発明にかかるレンジフードは、コストアップせずオイルキャッチを着脱する際の掃除性を向上させることができることを可能とするものであるので、厨房に設けている排気装置等としても有効である。
【符号の説明】
【００２７】
１    整流板
２    吸込口
３    天面
４    排気口
５    フード
６    排気ファン
７    ファンユニット
８    通風路
９    フィルター
１０  パネル
１１  オイルキャッチ
１２  フランジ
１３  固定部
１４  絞り
１５  底面
１６  上面
１７  ダボ
１８  上端部
１９  開口
２０  穴
【図１】
2015215154.tif 000003
【図２】
2015215154.tif 000004
【図３】
2015215154.tif 000005
【図４】
2015215154.tif 000006
【図５】
2015215154.tif 000007
【図６】
2015215154.tif 000008